(57)【要約】【課題】浄化方式のウォータサーバに関して、従来に比して一段と使い勝手を向上する。【解決手段】水道水を浄水して飲料水を生成する浄水部２と、浄水部２で生成した飲料水をユーザに提供する給水部３とを有し、給水部３は、浄水部２の上に配置されて、接続機構により浄水部２に接続されて浄水部２に保持されることにより、接続機構による浄水部２との接続を解除して、浄水部２から分離して設置することができ、可撓性を有するチューブを介して、浄水部２で生成した飲料水が供給される。【選択図】図１
0003166452.tif 000002
【実用新案登録請求の範囲】
【請求項１】
水道水を浄水して飲料水を提供するウォータサーバにおいて、
前記水道水を浄水して前記飲料水を生成する浄水部と、
前記浄水部で生成した前記飲料水をユーザに提供する給水部とを有し、
前記給水部は、
前記浄水部の上に配置されて、接続機構により前記浄水部に接続されて前記浄水部に保持されることにより、前記接続機構による前記浄水部との接続を解除して、前記浄水部から分離して設置することができ、
可撓性を有するチューブを介して、前記浄水部で生成した前記飲料水が供給されるウォータサーバ。
【請求項２】
前記浄水部には、前記飲料水を、前記給水部とは異なる他の供給対象に分配する分配部が設けられ、
前記浄水部は、
複数のフィルタで順次前記水道水を浄水して前記飲料水を生成し、
前記複数のフィルタの１つが逆浸透膜フィルタであり、
前記飲料水、又は前記逆浸透膜フィルタで浄水した水道水を一時格納する浄水タンクを有する
請求項１に記載のウォータサーバ。
【請求項３】
前記給水部は、
常温水、温水、又は冷水により前記飲料水を供給する
請求項１、又は請求項２に記載のウォータサーバ。
【考案の詳細な説明】
【技術分野】
【０００１】
本考案は、水道水を浄化して提供する形式のウォータサーバに関する。
【背景技術】
【０００２】
従来、ウォータサーバは、ボトルによって飲料水が供給されるもの（以下、ボトル方式のウォータサーバと呼ぶ）と、水道水を浄化して飲料水を生成するもの（以下、浄化方式のウォータサーバと呼ぶ）とが提供されている。
【０００３】
ここでボトル方式のウォータサーバは、例えば特開２０１０−２４７８３８号公報に開示されているように、ミネラルウォータ等による飲料水を充填したボトルを装置の上部に保持し、このボトルの飲料水をユーザに提供する。またこのボトルが空になると、ボトルを交換して飲料水を補充する。これに対して浄化方式のウォータサーバは、水道の配管に接続され、この配管を介して供給される水道水をフィルタにより浄化してユーザに供給する。
【先行技術文献】
【特許文献】
【０００４】
【特許文献１】特開２０１０−２４７８３８号公報
【考案の概要】
【考案が解決しようとする課題】
【０００５】
ところでボトル方式のウォータサーバは、ボトルをいちいち交換することが必要であるのに対し、浄化方式のウォータサーバは、このような交換を要しないことにより、使い勝手が良い長所がある。
【０００６】
このような浄化方式のウォータサーバに関して、一段と使い勝手を向上することができれば便利であると考えられる。
【０００７】
本考案は、以上の課題の解決を目的に、浄化方式のウォータサーバに関して、従来に比して一段と使い勝手を向上する。
【課題を解決するための手段】
【０００８】
（１）  水道水を浄水して飲料水を提供するウォータサーバにおいて、
前記水道水を浄水して前記飲料水を生成する浄水部と、
前記浄水部で生成した前記飲料水をユーザに提供する給水部とを有し、
前記給水部は、
前記浄水部の上に配置されて、接続機構により前記浄水部に接続されて前記浄水部に保持されることにより、前記接続機構による前記浄水部との接続を解除して、前記浄水部から分離して設置することができ、
可撓性を有するチューブを介して、前記浄水部で生成した前記飲料水が供給される。
【０００９】
（１）では、浄水部から分離して給水部を設置することができ、さらに可撓性を有するチューブを介して浄水部から給水部に飲料水が提供されることから、従来に比して設置の自由度を格段的に向上することができる。
【００１０】
（２）  前記浄水部には、前記飲料水を、前記給水部とは異なる供給対象に分配する分配部が設けられ、
前記浄水部は、
複数のフィルタで順次前記水道水を浄水して前記飲料水を生成し、
前記複数のフィルタの１つが逆浸透膜フィルタであり、
前記飲料水、又は前記逆浸透膜フィルタで浄水した水道水を一時格納する浄水タンクを有する。
【００１１】
（２）では、さらに他の供給対象に飲料水を提供できることができ、一段と使い勝手を向上することができる。またこのように他の供給対象に飲料水を提供できるようにして、一時的な不足が予測される飲料水の供給を浄水タンクに保持した水により補って、不都合を生じさせないようにすることができる。
【００１２】
（３）  前記給水部は、
常温水、温水、又は冷水により前記飲料水を供給する。
【００１３】
（３）では、ユーザの所望する温度による飲料水を提供することができる。
【考案の効果】
【００１４】
本考案によれば、浄化方式のウォータサーバに関して、一段と使い勝手を向上することができる。
【図面の簡単な説明】
【００１５】
【図１】本考案の第１の実施の形態に係るウォータサーバを示す図である。
【図２】図１のウォータサーバの詳細構成を示す図である。
【図３】図１のウォータサーバの浄水の説明に供する図である。
【図４】図１のウォータサーバの制御の説明に供する図である。
【考案を実施するための形態】
【００１６】
以下、本考案の実施形態について詳述する。
【００１７】
（１）第１の実施の形態
図１は、本考案の第１の実施の形態に係るウォータサーバを示す図である。このウォータサーバ１は、浄水方式のウォータサーバであり、縦長の略長方体形状により形成される。ウォータサーバ１は、略中央より下側が浄水部２に割り当てられ、この浄水部２で水道水を浄水する。またウォータサーバ１は、浄水部２の上側が給水部３に割り当てられ、浄水部２で生成した飲料水を給水部３でユーザに提供する。このため給水部３は、正面に、カップを載置するトレー４が設けられ、このトレー４の上側に、温水、常温水、冷水の給水レバー５Ａ、５Ｂ、５Ｃ、これら給水レバー５Ａ、５Ｂ、５Ｃの操作により飲料水を給水する給水口が設けられる。これに対して浄水部２は、水道管、排水管に接続され、さらに可撓性を有するチューブを介して浄水部２に飲料水を供給する。
【００１８】
図２は、この浄水部２及び給水部３の接続の詳細を示す図である。浄水部２は、シンク等に配管された水道管６から分配栓７により水道水を分配し、バルブ８、逆支弁９を順次介して分配した水道水を入力する。なお分配栓７と浄水部２との間には、必要に応じて減圧弁１０が設けられ、この減圧弁１０により水道水の圧力を浄水部２の処理に適した圧力に低減する。また浄水部２は、チューブ１１を介して、浄水により生じた排水を配水管１２に排出する。
【００１９】
これら浄水部２及び給水部３は、それぞれ専用の筐体に部品を収納して形成される。さらに給水部３は、浄水部２の上に、接続機構の１つであるネジによりに接続されて保持される。これによりウォータサーバ１は、接続機構による接続を解除して、浄水部２から給水部３を分離することができ、これら浄水部２及び給水部３をそれぞれ所望の箇所に分離して設置できるようになされている。また浄水部２と給水部３とは可撓性を有するチューブ１５により接続され、このチューブ１５により浄水部２で生成した飲料水を給水部３に供給する。これによりウォータサーバ１は、浄水部２に対して給水部３を種々の箇所に設置した場合であっても、浄水部２で生成した飲料水を確実に給水部３に供給可能に構成される。なお浄水部２と給水部３との接続機構は、ネジに限らず、例えば各種のロック機構等、種々の構成を広く適用することができる。
【００２０】
これによりウォータサーバ１は、水道水を浄水して飲料水を生成する浄水部２と、この浄水部２で生成した飲料水をユーザに提供する給水部３とを、必要に応じて分離して設置して、水道水から生成した飲料水をユーザに提供できるように構成される。なお図２においては、浄水部２と給水部３とを分離した状態を模式的に示す。なおこれにより浄水部２は、必要に応じて給水部３を接続する部位を目隠しする天板が設けられ、また給水部３には、独立して設置する場合の設置用脚等が設けられる。
【００２１】
これによりウォータサーバ１は、従来に比して設置に関する自由度を格段的に向上することができる。従ってその分、従来に比して使い勝手を格段に向上することができる。また浄水部２と給水部３とを個別に搬送して設置できることにより、従来に比して設置作業を簡略化することができる。
【００２２】
さらにウォータサーバ１は、チューブ１５の途中に分水部が設けられ、この分水部で給水部３に供給する飲料水を分水することができるように構成される。なおこの分水部は、例えば分水栓が適用される。これによりこのウォータサーバ１は、設置場所に応じて、給水部３とは異なる他の供給対象にも飲料水を供給することができ、１台の浄水部２で生成した飲料水を複数個所で提供することができるように構成される。これによりウォータサーバ１は、設置場所に応じて自由に構成を変更して一段と使い勝手を向上することができる。具体的に、ウォータサーバ１は、例えば、図２に示すように、この他の供給対象に蛇口を適用して、分水部で分水した飲料水を浄水専用蛇口よりシンクで利用することができる。また例えば、他の供給対象に他の給水部３を適用して、１台の浄水部２で生成した飲料水を２台の給水部３で利用することができる。
【００２３】
図３は、ウォータサーバ１の内部構造を詳細に示す図である。ウォータサーバ１において、浄水部２は、バルブ８（図２）を介して供給される水道水を電磁弁２１を介して入力し、この電磁弁２１の開閉制御により水道水の入力を制御する。浄水部２は、この電磁弁２１に続いてロープレッシャースイッチ（ロープレッシャーＳＷ）２２が設けられ、このロープレッシャースイッチ２２により水圧の低下を検出して漏水を検出する。浄水部２は、続いて第１から第３の前処理フィルタ２３、２４、２５が順次設けられ、これら第１から第３の前処理フィルタ２３、２４、２５を順次介してブースターポンプ２６に水道水を供給する。ここで第１の前処理フィルタ２３は、水道水を粗くフィルタリング処理するフィルタであり、例えば繊維により形成される。第２の前処理フィルタ２４は、水道水から不純物を取り除くフィルタであり、例えば活性炭により形成される。第３の前処理フィルタ２５は、水道水より細かな不純物を取り除くフィルタであり、例えば高分子の繊維により形成される。これによりウォータサーバ１は、順次水道水を前処理により浄水してブースターポンプ２６に供給する。
【００２４】
ブースターポンプ２６は、前処理フィルタ２５から供給される水道水を加圧して逆浸透膜フィルタ２７に供給し、逆浸透膜フィルタ２７は、逆浸透膜によりこの水道水を浄水する。なおウォータサーバ１は、この逆浸透膜フィルタ２７からの排水を配水管（図２）１２に排出する。浄水部２は、逆浸透膜フィルタ２７からの浄水をハイプレッシャースイッチ２８に供給し、ハイプレッシャースイッチ２８は、浄水タンク２９、後処理フィルタ３０を順次介して、この浄水をチューブ１５に送出する。ここで後処理フィルタ３０は、例えばカーボンフィルタにより形成される。
【００２５】
このように浄水タンク２９を介して浄水を供給することにより、ウォータサーバ１は、逆浸透膜フィルタ２７等による浄水能力を増大させなくても、他の供給対象からも飲料水を供給できるようにして増大する浄水の使用量に対して、十分に対応することができる。またこの浄水タンク２９を浄水部２側に設けることにより、給水部３の重量の増大を防止して給水部３側の設置の自由度を確保し、これにより使い勝手の低下を防止する。
【００２６】
なお給水部３は、浄水部２から供給される飲料水を、常温用のタンクに受け、この常温用のタンクを介して冷水用タンク及び温水用タンクに飲料水を分配する。また常温用のタンクにはフローティングバルブが設けられ、規定量だけ飲料水か蓄積されると、チューブ１５からの飲料水の流入を中止させる。また冷水用タンクは、冷水を生成する冷却機構が設けられ、給水レバー５Ｃの操作により保持した飲料水を冷水により給水口に送出する。また温水タンクは、温水を生成する過熱機構が設けられ、給水レバー５Ａの操作により保持した飲料水を温水により給水口に送出する。また常温用のタンクは、常温の給水レバー５Ｂの操作により保持した飲料水を常温により給水口から送出する。
【００２７】
図４は、このウォータサーバ１の制御の説明に供する図である。ウォータサーバ１は、電源回路４１により商用電源から各部の動作に必要な電源を生成する。ウォータサーバ１は、上述した浄水タンク２９にタンクフロースイッチ２９Ａが設けられ、浄水タンク２９が満水になると、このタンクフロースイッチ２９Ａ及びハイプレッシャースイッチ２８によりブースターポンプ２６の動作を停止制御停止する。これによりウォータサーバ１は、給水部３、専用蛇口から飲料水を供給して浄水タンク２９に保持した飲料水の推量が少なくなると、水道水を浄水して補充する。
【００２８】
リーキング部４４は、このウォータサーバ１の水漏れを管理する。ここでこのウォータサーバ１は、浄水部２の底部に、漏水を受ける漏水トレー４２が設けられ、この漏水トレー４２には、満水を検出するセンサ４３が設けられる。リーキング部４４は、このセンサ４３によりトレーの４２の満水が検出されると、電磁弁２１の制御により水道水の供給を停止制御する。またリーキング部４４は、ロープレッシャースイッチ２２により水漏れが検出されると、同様に、電磁弁２１の制御により水道水の供給を停止制御する。
【００２９】
以上の構成によれば、浄水部と給水部とを分離して設置できるようにし、可撓性を有するチューブを介して、浄水部で生成した飲料水を給水部に供給することにより、このウォータサーバ１の設置場所に応じて、種々の形態によりウォータサーバ１を設置することができ、従来に比して一段と使い勝手を向上することができる。すなわち浄水部２の上に給水部３を設置して従来形態によるウォータサーバとして設置することもでき、例えば浄水部をシンクの下に設置し、給水部を他の場所に設置することもできる。
【００３０】
またさらに以上の構成においては、分水栓により給水部に供給する飲料水を分水して他の供給対象にも供給できることにより、例えば浄水部で浄水した飲料水をシンクにて専用の蛇口から利用することができ、一段と使い勝手を向上することができる。
【００３１】
またさらに温水、常温水、冷水により飲料水を提供することにより、一段と使い勝手を向上することができる。
【００３２】
（２）他の実施の形態
以上、本考案の実施に好適な具体的な構成を詳述したが、本考案は、本考案の趣旨を逸脱しない範囲で、上述の実施の形態の構成を種々に変更することができる。
【００３３】
すなわち例えば上述の実施の形態では、５つのフィルタにより水道水を順次フィルタリングして飲料水を生成する場合について述べたが、本考案はこれに限らず、種々の構成により水道水を浄水して飲料水を生成する場合に広く適用することができる。
【００３４】
また上述の実施の形態では、チューブに設けた分配部により浄水部で生成した飲料水を給水部と他の供給対象とに２分配する場合について述べたが、本考案はこれに限らず、例えば後処理フィルタの送出口に分配部を設けるようにしてよい。
【００３５】
また上述の実施の形態では、浄水部で生成した飲料水を給水部と他の供給対象とに２分配する場合について述べたが、本考案はこれに限らず、３分配以上に分配する場合にも広く適用することができる。
【００３６】
また上述の実施の形態では、浄水タンクを逆浸透膜フィルタの直後に配置する場合について述べたが、本考案はこれに限らず、要は逆浸透膜フィルタで一時的に不足する浄水能力を補うように、逆浸透膜フィルタの後段に配置すれば良く、例えば後処理フィルタの後段に配置してもよい。
【符号の説明】
【００３７】
１  ウォータサーバ
２  浄水部
３  給水部
４  トレー
５Ａ、５Ｂ、５Ｃ  給水レバー
６  水道管
７  分配栓
８  バルブ
９  逆支弁
１０  減圧弁
１１  チューブ
１２  配水管
１５  チューブ
２１  電磁弁
２２  ロープレッシャースイッチ
２３、２４、２５  前処理フィルタ
２６  ブースターポンプ
２７  逆浸透膜フィルタ
２８  ハイプレッシャースイッチ
２９  浄水タンク
２９Ａ  タンクフロースイッチ
３０  後処理フィルタ
４１  電源回路
４２  漏水トレー
４３  センサ
４４  リーキング部
【図１】
0003166452.tif 000003
【図２】
0003166452.tif 000004
【図３】
0003166452.tif 000005
【図４】
0003166452.tif 000006